(57)【要約】【課題】  湾曲した形状が強調され、立体感がある車両用表示装置を提供する。【解決手段】  保護カバー５０は、湾曲した形状である。表示器１０は、保護カバー５０を通して視認される。環状装飾部材２１，２２は、円形の開口部２１ａ，２２ａを有すると共に、保護カバー５０に固定される。環状装飾部材２１，２２は、開口部２１ａ，２２ａの中心から偏心した外形２１ｂ，２２ｂである。弓状装飾部材６１，６２は、保護カバー５０に固定される。【選択図】  図４
2016222130.tif 000002
【特許請求の範囲】
【請求項１】
湾曲した形状の保護カバーと、前記保護カバーを通して視認される表示器と、円形の開口部を有すると共に前記保護カバーに固定された環状装飾部材と、を備え、
前記環状装飾部材は、前記開口部の中心から偏心した外形であることを特徴とする車両用表示装置。
【請求項２】
前記保護カバーに固定された複数の弓状装飾部材を更に備えたことを特徴とする請求項１に記載の車両用表示装置。
【発明の詳細な説明】
【技術分野】
【０００１】
本発明は、湾曲した形状の保護カバーを備えた車両用表示装置に関するものである。
【背景技術】
【０００２】
従来より、ステアリングホイール越しに視認する表示器を備えた車両用表示装置が種々提案されており、例えば特許文献１に開示されている。斯かる車両用表示装置は、ステアリングホイールの上側に上部メータを配設し、ステアリングホイールの下側に下部メータを配設したものである。車両運転者は、ステアリングホイールよりも上で上部メータを視認し、ステアリングホイールの中を通して下部メータを視認する。一方、湾曲形状の車両用表示装置が種々提案されており、例えば特許文献２に開示されている。斯かる車両用表示装置は、表示面が凹となるような左右方向で湾曲した形状になっている。
【先行技術文献】
【特許文献】
【０００３】
【特許文献１】特許第４１４５８２８号公報
【特許文献２】特開昭６２−１０５１８５号公報
【発明の概要】
【発明が解決しようとする課題】
【０００４】
しかしながら、車両用表示装置を正面視した場合、湾曲した部分が視認されずに、車両用表示装置は略矩形に見えてしまうため、立体感が若干劣るという問題を有していた。
本発明は、この問題に鑑みなされたものであり、湾曲した形状が強調され、立体感がある車両用表示装置を提供するものである。
【課題を解決するための手段】
【０００５】
本発明は、湾曲した形状の保護カバーと、前記保護カバーを通して視認される表示器と、円形の開口部を有すると共に前記保護カバーに固定された環状装飾部材と、を備え、前記環状装飾部材は、前記開口部の中心から偏心した外形であるものである。
【０００６】
また、本発明は、前記保護カバーに固定された複数の弓状装飾部材を更に備えたものである。
【発明の効果】
【０００７】
偏心した外形の環状装飾部材を保護カバーに設けたことによって、保護カバーの湾曲した形状が強調され、立体感がある車両用表示装置を提供することができる。
【図面の簡単な説明】
【０００８】
【図１】本発明の第一実施形態を示す概観図。
【図２】同上実施形態を示す正面図及び下面図。
【図３】同上実施形態を示す拡大図。
【図４】本発明の第二実施形態を示す正面図及び下面図。
【図５】本発明の第三実施形態を示す正面図及び下面図。
【図６】本発明の第四実施形態を示す正面図及び下面図。
【図７】本発明の第五実施形態を示す正面図及び下面図。
【図８】本発明の第六実施形態を示す正面図及び下面図。
【図９】本発明の第七実施形態を示す正面図及び下面図。
【発明を実施するための形態】
【０００９】
以下、添付図面に基づいて、本発明の一実施形態を説明する。図１乃至図３は、第一実施形態を示すものである。
【００１０】
車両用表示装置１００は車両のインストルメントパネル７０上に配置されており、車両運転者は車両用表示装置１００をステアリングホイール６０よりも上で視認する。車両用表示装置１００は、ステアリングホイール６０の直前方に配置されている。車両用表示装置１００は、液晶表示器１０，装飾部材２０，３０，ハウジング４０，保護カバー５０を備えている。
【００１１】
液晶表示器１０は、ＴＦＴ型液晶表示モジュールからなるものである。液晶表示器１０は、表示面が凹となるような左右方向で湾曲した形状になっている。液晶表示器１０は、上下方向では湾曲していない。液晶表示器１０は、ハウジング４０に収容され、保護カバー５０を通して視認される。液晶表示器１０は、車両速度，エンジン回転数，ナビゲーション情報，残燃料量等の車両情報を表示する。
【００１２】
装飾部材２０は、保護カバー５０に貼着された環状装飾部材２１及び環状装飾部材２２からなる。環状装飾部材２１は、車両用表示装置１００の中心線Ｌよりも左側に配置されている。環状装飾部材２２は、車両用表示装置１００の中心線Ｌよりも右側に配置されている。環状装飾部材２１と環状装飾部材２２とは、車両用表示装置１００の中心線Ｌの左右対称に配設されている。
【００１３】
環状装飾部材２１は、点Ｐ１１を中心にした円形の開口部２１ａを有している。環状装飾部材２１の外形２１ｂは、点Ｐ１２を中心にした円形になっている。開口部２１ａの中心である点Ｐ１１と、外形２１ｂの中心である点Ｐ１２とは、所定距離Ｄだけ離間している。環状装飾部材２１の外形２１ｂは、開口部２１ａの中心である点Ｐ１１から左方向に所定距離Ｄだけ偏心している。
【００１４】
環状装飾部材２２は、点Ｐ２１を中心にした円形の開口部２２ａを有している。環状装飾部材２２の外形２２ｂは、点Ｐ２２を中心にした円形になっている。開口部２２ａの中心である点Ｐ２１と、外形２２ｂの中心である点Ｐ２２とは、所定距離Ｄだけ離間している。環状装飾部材２２の外形２２ｂは、開口部２２ａの中心である点Ｐ２１から右方向に所定距離Ｄだけ偏心している。
【００１５】
装飾部材３０は、保護カバー５０に貼着された線状装飾部材３１及び線状装飾部材３２からなる。線状装飾部材３１は、車両用表示装置１００の上辺に沿うように、環状装飾部材２１，２２の上方に配置されている。線状装飾部材３２は、車両用表示装置１００の下辺に沿うように、環状装飾部材２１，２２の下方に配置されている。
【００１６】
保護カバー５０は、透光性樹脂からなるものであり、液晶表示器１０の前面側に配置されている。保護カバー５０は、所定の曲率半径を有する湾曲形状になっている。保護カバー５０は、後面側に凸、前面側が凹となるように湾曲している。保護カバー５０は、左右方向のみで湾曲しており、上下方向ででは湾曲していない。つまり、保護カバー５０は、円筒面になっている。
【００１７】
図４は、第二実施形態を示すものである。第二実施形態は、第一実施形態に比して装飾部材６０だけが異なり、他の構成は第一実施形態と同様である。車両用表示装置１００は、液晶表示器１０，装飾部材２０，ハウジング４０，保護カバー５０，装飾部材６０を備えている。
【００１８】
装飾部材６０は、保護カバー５０に貼着された弓状装飾部材６１及び弓状装飾部材６２からなる。弓状装飾部材６１は、環状装飾部材２１，２２の上方に配置されており、下向きに湾曲している。弓状装飾部材６２は、環状装飾部材２２，２３の下方に配置されており、上向きに湾曲している。
【００１９】
図５は、第三実施形態を示すものである。第三実施形態は、第一実施形態に比して装飾部材７０だけが異なり、他の構成は第一実施形態と同様である。車両用表示装置１００は、液晶表示器１０，装飾部材２０，ハウジング４０，保護カバー５０，装飾部材７０を備えている。
【００２０】
装飾部材７０は、保護カバー５０に貼着された弓状装飾部材７１及び弓状装飾部材７２からなる。弓状装飾部材７１は、環状装飾部材２１，２２の上方に配置されており、下向きに湾曲している。弓状装飾部材７２は、環状装飾部材２１，２２の下方に配置されており、下向きに湾曲している。
【００２１】
図６は、第四実施形態を示すものである。第四実施形態は、第一実施形態に比して装飾部材８０だけが異なり、他の構成は第一実施形態と同様である。車両用表示装置１００は、液晶表示器１０，装飾部材２０，ハウジング４０，保護カバー５０，装飾部材８０を備えている。
【００２２】
装飾部材８０は、保護カバー５０に貼着された弓状装飾部材８１及び弓状装飾部材８２からなる。弓状装飾部材８１は、環状装飾部材２１，２２の上方に配置されており、上向きに湾曲している。弓状装飾部材８２は、環状装飾部材２１，２２の下方に配置されており、上向きに湾曲している。
【００２３】
図７は、第五実施形態を示すものである。第五実施形態は、第一実施形態に比して装飾部材９０だけが異なり、他の構成は第一実施形態と同様である。
車両用表示装置１００は、液晶表示器１０，装飾部材２０，ハウジング４０，保護カバー５０，装飾部材９０を備えている。
【００２４】
装飾部材９０は、保護カバー５０に貼着された弓状装飾部材９１，９２，９３からなる。弓状装飾部材９１は、環状装飾部材２１，２２の上方に配置されており、上向きに湾曲している。弓状装飾部材９２は、環状装飾部材２１，２２の下方に配置されており、上向きに湾曲している。弓状装飾部材９３は、環状装飾部材２１と環状装飾部材２２との中間に配置されており、上向きに湾曲している。
【００２５】
図８は第六実施形態を示すものである。第六実施形態は、第一実施形態に比して装飾部材３０が無いだけであり、他の構成は第一実施形態と同様である。車両用表示装置１００は、液晶表示器１０，装飾部材２０，ハウジング４０，保護カバー５０を備えている。
【００２６】
図９は第七実施形態を示すものである。第七実施形態は、第一実施形態に比して装飾部材１２０だけが異なり、他の構成は第一実施形態と同様である。車両用表示装置１００は、液晶表示器１０，ハウジング４０，保護カバー５０，装飾部材１２０を備えている。
【００２７】
装飾部材１２０は、環状装飾部材２１，２２，２３，２４からなる。環状装飾部材２３，２４は、保護カバー５０に貼着されている。環状装飾部材２１，２２は、夫々、環状装飾部材２３，２４に固定されている。環状装飾部材２１，２２と、環状装飾部材２３，２４とは、異なる色味を有する。
【００２８】
各実施形態によれば、偏心した外形の環状装飾部材２１，２２，２３，２４を保護カバー５０に設けたことによって、一点透視図法のような作用により奥行きのある印象を与えることができ、保護カバー５０の湾曲した形状が強調される。また、弓状装飾部材６１，６２，７１，７２，８１，８２，９１，９２，９３を保護カバー５０に設けたことによって、一点透視図法のような作用により奥行きのある印象を与えることができ、保護カバー５０の湾曲した形状が更に強調される。
【符号の説明】
【００２９】
１０    液晶表示器（表示器）
２１    環状装飾部材
２１ａ  開口部
２１ｂ  外形
２２    環状装飾部材
２２ａ  開口部
２２ｂ  外形
２３    環状装飾部材
２４    環状装飾部材
４０    ハウジング
５０    保護カバー
６１    弓状装飾部材
６２    弓状装飾部材
７１    弓状装飾部材
７２    弓状装飾部材
８１    弓状装飾部材
８２    弓状装飾部材
９１    弓状装飾部材
９２    弓状装飾部材
９３    弓状装飾部材
【図１】
2016222130.tif 000003
【図２】
2016222130.tif 000004
【図３】
2016222130.tif 000005
【図４】
2016222130.tif 000006
【図５】
2016222130.tif 000007
【図６】
2016222130.tif 000008
【図７】
2016222130.tif 000009
【図８】
2016222130.tif 000010
【図９】
2016222130.tif 000011